(57)【特許請求の範囲】
【請求項１】
厨芥を粉砕するディスポーザと、
該ディスポーザで粉砕された厨芥を水に同伴させて搬送管から浄化槽へ搬送するポンプと、
前記搬送管内を粉砕された厨芥と共に搬送される排水にプラグ流を形成させるための空気を供給する手段とを備えた排水搬送装置であって、
前記空気を供給する手段は、コンプレッサと、該コンプレッサからの圧縮空気を貯留するエアータンクと、該エアータンクの圧縮空気を電磁弁を介して前記搬送管へ送給し得るよう、前記搬送管に接続された管路とを備え、
該管路の前記搬送管に対する接続箇所は、前記ポンプの出側に形成され立ち上がって上方へ延在する箇所の基部であることを特徴とする排水搬送装置。
【請求項２】

前記ディスポーザの駆動装置と、前記ポンプと、前記電磁弁とを制御するコントローラを備え、
該コントローラは、前記ディスポーザの駆動装置と前記ポンプとを運転状態にしたまま、前記電磁弁を一定時間間隔で間歇的に開閉させるよう構成した請求項１に記載の排水搬送装置。
【発明の詳細な説明】
【０００１】
【発明の属する技術分野】
本発明は排水搬送装置に関するものである。
【０００２】
【従来の技術】
厨房で発生した厨芥はディスポーザにより細かく粉砕され、水に同伴されて排水として浄化槽へ搬送され、搬送された排水は浄化槽において浄化される。而して、粉砕された厨芥を同伴した排水を搬送する従来の排水搬送装置は図４に示されており、図中、１は台所２に設けられた蛇口等の給水装置、３は台所２の下部に配置されて駆動装置４により駆動されるディスポーザ、５はディスポーザ３により粉砕されて供給された厨芥を水と一緒に搬送する、駆動装置を備えたポンプ、６はポンプ５から吐出された厨芥が水と共に搬送される搬送管、７は搬送管６から搬送された厨芥と水の混合物を微生物を使って処理する浄化槽である。
【０００３】
搬送管６は、ポンプ５の吐出側から若干水平に延在すると共に、立ち上がって上方へ延在し、最上部から浄化槽７へ向けて下り勾配に配設されている。而して、搬送管６の浄化槽７側先端は浄化槽７内に開口している。搬送管６を浄化槽７に向けて下り勾配に配設するのは、ポンプ５から吐出された排水に含まれた厨芥を傾斜を利用してスムーズに浄化槽７に搬送するためである。
【０００４】
又、図中、８は給水装置１、ディスポーザ３の駆動装置４、ポンプ５の駆動装置に指令を与えるようにしたコントローラである。
【０００５】
厨房での食材の加工作業により発生した厨芥は、台所２の排水口からディスポーザ３に投入される。又、給水装置１、ディスポーザ３の駆動装置４、ポンプ５の駆動装置にはコントローラ８から指令が与えられ、各機器が運転状態となる。このため、ディスポーザ３では、厨芥が粉砕されると共に、給水装置１からの水が台所２の排水口を経てディスポーザ３に給水され、粉砕された厨芥は水に同伴されてディスポーザ３からポンプ５を介し搬送管６へ排出され、排水Ｗとして搬送管６から浄化槽７へ送給される。
【０００６】
上記排水搬送装置においては、ディスポーザ３で粉砕された厨芥を含む排水Ｗのポンプ５への供給量と、ポンプ５からの排水Ｗの吐出量とには差があるため、その差分に相当する量の空気が常時搬送管６へ混入している。このため、図５に示すように、搬送管６の若干下り勾配に配設されている部分においては、排水Ｗは層状流若しくは、波状流となり、搬送管６内上部に空気Ａの層が形成される。
【０００７】
従って、搬送管６内下部に溜まった、粉砕された厨芥の固形物Ｍには水の圧力が充分には伝わらず、固形物Ｍに例えば、卵の殻や貝殻のように、比重が大きなものが含まれている場合には、固形物Ｍは流れ難く、搬送管６内に滞留し易いという問題がある。
【０００８】
【発明が解決しようとする課題】
本発明は、上述の実情に鑑み、粉砕した厨芥を搬送管によりディスポーザから浄化槽へ搬送する際に、搬送管に滞留することなく確実に浄化槽に搬送し得るようにした排水搬送装置を提供することを目的としてなしたものである。
【０００９】
【課題を解決するための手段】
本発明の請求項１の排水装置は、
厨芥を粉砕するディスポーザと、
該ディスポーザで粉砕された厨芥を水に同伴させて搬送管から浄化槽へ搬送するポンプと、
前記搬送管内を粉砕された厨芥と共に搬送される排水にプラグ流を形成させるための空気を供給する手段とを備えた排水搬送装置であって、
前記空気を供給する手段は、コンプレッサと、該コンプレッサからの圧縮空気を貯留するエアータンクと、該エアータンクの圧縮空気を電磁弁を介して前記搬送管へ送給し得るよう、前記搬送管に接続された管路とを備え、
該管路の前記搬送管に対する接続箇所は、前記ポンプの出側に形成され立ち上がって上方へ延在する箇所の基部である。
【００１０】
本発明の請求項２の排水装置は、
前記ディスポーザの駆動装置と、前記ポンプと、前記電磁弁とを制御するコントローラを備え、
該コントローラは、前記ディスポーザの駆動装置と前記ポンプとを運転状態にしたまま、前記電磁弁を一定時間間隔で間歇的に開閉させるよう構成したものである。
【００１２】
本発明においては、排水中に同伴されている粉砕された厨芥は搬送管内に滞留することなく、円滑に搬送管を送給されて確実に浄化槽へ搬送される。
【００１３】
【発明の実施の形態】
以下、本発明の実施の形態を図示例と共に説明する。
図１、２は本発明を実施する形態の一例であって、図中、図４と同一の符号を付した部分は同一のものを表わしており、基本的な構成は図４に示す従来のものと同様である。
【００１４】
図１中、１０はコンプレッサ、１１はコンプレッサ１０からの圧縮空気を貯留するエアータンク、１２はエアータンク１１から搬送管６における垂直部の基部に空気Ａ’を送給するための管路、１３は管路１２の中途部に設けた電磁弁である。又、コントローラ８からは、給水装置１、ディスポーザ３の駆動装置４、ポンプ５の駆動装置の他に、電磁弁１３へも指令を与え得るようになっている。
【００１５】
次に、上記図示例の作動を説明する。
厨房での食材の加工作業により発生した厨芥は、台所２の排水口からディスポーザ３に投入される。又、コントローラ８から給水装置１、ディスポーザ３の駆動装置４、ポンプ５の駆動装置には指令が与えられて各機器は運転状態となり、電磁弁１３には間歇的に指令が与えられる。このため、電磁弁１３は一定時間間隔で開閉させられる。
【００１６】
ディスポーザ３では、厨芥が粉砕されると共に、給水装置１からの水が台所２の排水口を経てディスポーザ３に給水され、粉砕された厨芥は水に同伴されてディスポーザ３からポンプ５を介し搬送管６へ排出され、排水Ｗとして搬送管６から浄化槽７へ送給される。
【００１７】
この際、電磁弁１３は一定時間間隔で間歇的に開閉されるため、コンプレッサ１０で圧縮生成されてエアータンク１１に貯留されていた空気Ａ’は管路１２から搬送管６内へ間歇的に供給される。このため、搬送管６内では、厨芥を同伴した排水Ｗ内に空気Ａ’が供給されて、排水Ｗは図２に示すようにプラグ流Ｐｆとなる。
【００１８】
而して、排水Ｗがプラグ流Ｐｆとなると、排水Ｗは図２に示すごとく一時的に搬送管６に対し満流状態となり、搬送管６内の下部に滞留している固形物Ｍには水の圧力が充分に加わる。従って、排水Ｗ中に同伴されている粉砕された厨芥は搬送管６内に滞留することなく、円滑に搬送管６を送給されて確実に浄化槽７へ搬送される。
【００１９】
図３は本発明の参考例であって、図中、図４と同一の符号を付した部分は同一のものを表わしており、基本的な構成は図４に示す従来のものと同様である。
【００２０】
図中、１４は搬送管６の立ち上がり部と傾斜部の交叉部、すなわち搬送管６の排水排出端部位置Ｈよりも高い位置に設けられた逆止弁である。而して、外気は逆止弁１４から搬送管６内に流入し得るようになっているが、搬送管６内の排水Ｗは逆止弁１４から外部へ流出しないようになっている。なお、排水排出端部が常時浄化槽７の水内に入っている場合は、逆止弁１４は浄化槽７の水面上限よりも高い位置に設ければ良い。又、逆止弁１４に更に電磁弁を接続して、該電磁弁を間歇的に開閉するようにしても良い。
【００２１】
本図示例においては、ディスポーザ３で粉砕された厨芥が水と共にポンプ５により搬送管６内を搬送される際には、逆止弁１４から外気が搬送管６内に流入する。このため、図２に示したように、排水Ｗは搬送管６内においてプラグ流Ｐｆとなる。従って、この場合にも、排水Ｗは図２に示すごとく一時的に搬送管６に対し満流状態となり、搬送管６内の下部に滞留している固形物Ｍには水の圧力が充分に加わる。従って、排水Ｗ中に同伴されている粉砕された厨芥は搬送管６内に滞留することなく、円滑に搬送管６を送給されて確実に浄化槽７へ搬送される。
【００２２】
なお、本発明の排水搬送装置は、上述の図示例にのみ限定されるものではなく、本発明の要旨を逸脱しない範囲内において種々変更を加え得ることは勿論である。
【００２３】
【発明の効果】
以上、説明したように本発明の請求項１、２記載の排水搬送装置によれば、排水中に同伴されている粉砕された厨芥は搬送管内に滞留することなく、円滑に搬送管を送給されて確実に浄化槽へ搬送される、という優れた効果を奏し得る。
【図面の簡単な説明】
【図１】  本発明の排水搬送装置の実施の形態の一例を示す概略側面図である。
【図２】  図１の排水搬送装置において、排水がプラグ流となった状態を示す断面図である。
【図３】  本発明の排水搬送装置の参考例を示す概略側面図である。
【図４】  従来の排水搬送装置の一例を示す概略側面図である。
【図５】  図４の排水搬送装置において、排水が層状流となった状態を示す断面図である。
【符号の説明】
３  ディスポーザ
５  ポンプ
６  搬送管
７  浄化槽
８ コントローラ
１０  コンプレッサ
１１  エアータンク
Ａ'  空気
Ｗ    排水
Ｐｆ プラグ流
【図１】
0004748883.tif 000002
【図２】
0004748883.tif 000003
【図３】
0004748883.tif 000004
【図４】
0004748883.tif 000005
【図５】
0004748883.tif 000006